(57)【特許請求の範囲】
【請求項１】
固定側取付板に固定された固定側金型と、可動側取付板にスペーサーブロックを介して固定された可動側金型とを備え、前記可動側金型と前記可動側取付板の間に上、下側突出し板を移動可能に設け、前記下側突出し板の押し上げにより、スプルー突出しピン、ゲート突出しピン及び成形品突出しピンをそれぞれ押し上げて、前記スプルー突出しピンはスプルーを、前記ゲート突出しピンはランナーを、前記成形品突出しピンは成形品をそれぞれに突き出すモールド金型構造において、
前記ゲート突出しピンの中間部に鍔部を設けて、この鍔部を、前記成形品突出しピンの端部の鍔部及び前記スプルー突出しピンの端部の鍔部より薄くし、前記ゲート突出しピンの前記鍔部を、前記成形品突出しピンの前記鍔部及び前記スプルー突出しピンの前記鍔部と共に、前記上、下側突出し板間に位置させ、且つ前記ゲート突出しピンの端面を前記可動側取付板の面で受けて、樹脂充填後の型開き前の状態で、前記ゲート突出しピンの前記鍔部の下面と前記下側突出し板との間に隙間を存在させ、前記ゲート突き出し作動を、前記スプルー突出しピンの突き出し作動及び前記成形品突出しピンの突き出し作動の両方より遅らせることを特徴とするモールド金型構造におけるゲート切断装置。
【発明の詳細な説明】
【０００１】
【発明の属する技術分野】
本発明は、プラスチック成形モールド型であるモールド金型構造におけるゲート切断装置に関するものである。
【０００２】
【従来の技術】
モールド品の樹脂注入口（ゲート）は、成形上必要不可欠なものであるが、製品機能から見れば余分なものであり、一般には、その除去は人手に頼っているために製品の原価アップにつながってしまう。
【０００３】
その対策として、従来から、二段突出し機構による型内自動ゲートカット方法が考えられていた。この型内自動ゲートカット方法は、図４に示すように可動金型１０のゲート４近傍に鍔部８Ａを有する突出しピン８を装着し、成形品突出し工程において、ゲート４の突き出しタイミングを成形品１よりもＨ量遅らせることで、ゲート４を自動切断可能とするものである。
【０００４】
すなわち、ゲート４近傍の鍔部８Ａを有するゲート突出しピン８の他に、型開き時にスプルー１４を引き抜く機能を持つスプルー突出しピン１２を有しているが、ゲート突出しピン８の動作に合わせるために、スプルー突出しピン１２にも鍔部１２Ａを設けている。
【０００５】
その理由は、ゲート突出しピン８の場合は型閉じ時のピン底面受けは、可動側取付板２の面で受けられるが、スプルー突出しピン１２は、可動側取付板２に加工した突出しロッド穴２Ａと同心のために、同ピン底面では受けられないためである。
【０００６】
そこで、図４に示すように可動側金型１０の下部に、スプルー突出しピン１２の鍔部１２Ａを受ける受け部材１３を設けて、この受け部材１３を、型閉じ時のスプルー突出しピン１２戻りの受けとし、突き出し時はスプルー突出しピン１２の下端部の鍔部１２Ｂを用いるようにする。
【０００７】
すなわち、図４に示すように樹脂充填後の型開き前の状態から可動側金型１０及び可動側取付板２が下降して金型が開いた後、図５に示すように成形機の突き出しロッド９が上昇して下側突出し板７Ｂを押し上げる。このために、スプルー突出しピン１２、ゲート突出しピン８及び成形品突出しピン６がそれぞれの鍔部１２Ｂ、８Ａ、６Ａを介して押し上げられて、スプルー突出しピン１２はスプルー１４を、ゲート突出しピン８はランナー５を、成形品突出しピン６は成形品１をそれぞれに突き上げて、スプルー１４、ランナー５及び成形品１が突出される。
【０００８】
しかし、樹脂充填後の型開き前の状態（図１の状態）では、スプルー突出しピン１２の鍔部１２Ａの下面と下側突出し板７Ｂとの間には隙間Ｈが存在しているために、下側突出し板７Ｂが押し上げられて、すなわち、成形品１は突出されて隙間Ｈがなくなるまではスプルー突出しピン１２は作動せず、したがって、スプルー１４は突出されていない。この突出しのタイミングのズレを利用してゲート４は切断される。
【０００９】
【発明が解決しようとする課題】
ところで、上記した従来の技術による金型構造は、可動側金型１０の下部に、スプルー突出しピン１２の鍔部１２Ａを受ける受け部材１３を設けて、この受け部材１３を、型閉じ時のスプルー突出しピン１２戻りの受けとし、突き出し時はスプルー突出しピン１２の下端部の鍔部１２Ｂを用いるようにしているために、スプルー突出しピン１２の鍔部が二ヵ所必要であるし、さらには、スプルー突出しピン１２の鍔部１２Ａを受ける受け部材１３が必要になって、金型構造が複雑になるという問題があった。
【００１０】
本発明は上記の問題点に着目して成されたものであって、その目的とするところは、スプルー突出しピンの鍔部が二カ所必要でなくなって、鍔部を受ける受け部材が不必要になって、金型構造が簡単になり、金型費用の低減に寄与できるモールド金型構造におけるゲート切断装置を提供することにある。
【００１１】
【課題を解決するための手段】
上記の目的を達成するために、本発明に係わるモールド金型構造におけるゲート切断装置は、固定側取付板に固定された固定側金型と、可動側取付板にスペーサーブロックを介して固定された可動側金型とを備え、前記可動側金型と前記可動側取付板の間に上、下側突出し板を移動可能に設け、前記下側突出し板の押し上げにより、スプルー突出しピン、ゲート突出しピン及び成形品突出しピンをそれぞれ押し上げて、前記スプルー突出しピンはスプルーを、前記ゲート突出しピンはランナーを、前記成形品突出しピンは成形品をそれぞれに突き出すモールド金型構造において、前記ゲート突出しピンの中間部に鍔部を設けて、この鍔部を、前記成形品突出しピンの端部の鍔部及び前記スプルー突出しピンの端部の鍔部より薄くし、前記ゲート突出しピンの前記鍔部を、前記成形品突出しピンの前記鍔部及び前記スプルー突出しピンの前記鍔部と共に、前記上、下側突出し板間に位置させ、且つ前記ゲート突出しピンの端面を前記可動側取付板の面で受けて、樹脂充填後の型開き前の状態で、前記ゲート突出しピンの前記鍔部の下面と前記下側突出し板との間に隙間を存在させ、前記ゲート突き出し作動を、前記スプルー突出しピンの突き出し作動及び前記成形品突出しピンの突き出し作動の両方より遅らせることを特徴とする。
【００１２】
従来では、スプルー、ランナー及び成形品が突出されるのに際して、成形品は突出されて隙間Ｈがなくなるまではスプルー突出しピンは作動せず、したがって、スプルーは突出されていない。この突出しのタイミングのズレを利用してゲートは切断されるのであるが、本発明では、動作遅延手段により、成形品は突出されて隙間Ｈがなくなるまではゲート突出しピンは作動せず、したがって、ゲートは突出されていない。この突出しのタイミングのズレを利用してゲートは切断されるのであって、スプルー突出しピンはゲート切断には直接に関係がないために、スプルー突出しピンの鍔部が二カ所必要でなくなって、鍔部を受ける受け部材が不必要になって、金型構造が簡単になり、金型費用の低減ができる。
【００１４】
また、かかる構成により、樹脂充填後の型開き前の状態では、ゲート突出しピンの鍔部の下面と下側突出し板との間には隙間が存在しているために、下側突出し板が押し上げられて、すなわち、成形品は突出されて隙間がなくなるまではゲート突出しピンは作動せず、したがって、ゲートは突出されていない。この突出しのタイミングのズレを利用してゲートは切断される。
【００１５】
したがって、スプルー突出しピンはゲート切断には直接に関係がないために、スプルー突出しピンの鍔部が二カ所必要でなくなって、鍔部を受ける受け部材が不必要になって、金型構造が簡単になり、金型費用の低減ができる。
【００１６】
【発明の実施の形態】
以下、本発明の実施の形態を図面を参照して説明する。
図１は本発明に係わるゲート切断装置を備えた金型構造であって、樹脂充填後の型開き前の状態の断面図、図２は同金型構造において、型開き後の成形品が突出され、ゲートが切断された状態の一部省略した断面図、図３は同金型構造において、突出し工程完了状態の一部省略した断面図である。
【００１７】
金型構造は、固定側金型１１と可動側金型１０とを備えており、この固定側金型１１は固定側取付板１５に固定してあり、また、可動側金型１０はスペーサーブロック１６を介して可動側取付板２に固定してある。固定側金型１１の下面部には型部１０Ａが形成してあり、また、固定側取付板１５の中央部には湯口形成部材１８Ａが取り付けてあり、この湯口形成部材１８Ａは固定側金型１１の中央部を貫通している。
【００１８】
また、前記可動側金型１０の中央部にはピン挿入孔１８が設けてあり、また、可動側金型１０の上面部にはピン挿入孔１８の上端部に通じる湯道部１９が形成してある。また、可動側金型１０にはゲート突出しピン用孔２０と複数の成形品突出しピン用孔２１とが設けてあり、ゲート突出しピン用孔２０の上端部は前記湯道部１９の端部の底に開口しており、成形品突出しピン用孔２１の上端部は、可動側金型１０の上面の、前記型部１０Ａの投影部に開口している。
【００１９】
また、可動側金型１０と可動側取付板２の間には上、下側突出し板７Ａ、７Ｂが昇降動可能に設けてあり、これらの上、下側突出板７Ａ、７Ｂは、金型を閉じて、成形する時は、可動側金型１０に案内された一組（通常４本）の摺動可能なリターンピン１７が、固定側金型１１の型分割面３で可動側取付板２側に戻されるに従い、同様に戻されるものである。
【００２０】
上側の突出し板７Ａには、前記ピン挿入孔１８の延長線上に位置するピン挿入孔２２と、前記ゲート突出しピン用孔２０の延長線上に位置するゲート突出しピン用孔２３と、前記成形品突出しピン用孔２１の延長線上に位置する成形品突出しピン用孔２４とが設けてあり、下側の突出し板７Ｂには、前記ゲート突出しピン用孔２０の延長線上に位置する逃げ用孔２５とが設けてある。
【００２１】
そして、前記ピン挿入孔１８、２２にはスプルー突出しピン１２が上下摺動可能に挿入しあり、このスプルー突出しピン１２の下端部には鍔部２６が形成してあり、この鍔部２６の下面部は下側突出し板７Ｂの上面部に当接している。また、前記成形品突出しピン用孔２１、２４には成形品突出しピン６が上下摺動可能に挿入しあり、この成形品突出しピン６の下端部には鍔部２７が形成してあり、この鍔部２７は、スプルー突出しピン１２の鍔部２６と同じ厚さにしてあり、鍔部２７の下面部は下側突出し板７Ｂの上面部に当接している。
【００２２】
また、前記ゲート突出しピン用孔２０、２３にはゲート突出しピン８が上下摺動可能に挿入しある。このゲート突出しピン８はその中間部に鍔部２８を有しており、この鍔部２８は、成形品突出しピン６の鍔部２７及びスプルー突出しピン１２の鍔部２６より薄くしてあり、その差はＨである。
【００２３】
そして、ゲート突出しピン８はその鍔部２８より上部で前記ゲート突出しピン用孔２０、２３に上下摺動可能に挿入してあり、ゲート突出しピン８の鍔部２８より下側のピン部８Ａは逃げ用孔２５に挿入してあって、この鍔部２８は上、下側突出し板７Ａ、７Ｂ間に位置しており、ピン部８Ａの下端面は可動側取付板２の面で受けられている。したがって、ゲート突出しピン８の鍔部２８の下面と下側突出し板７Ｂとの間には隙間Ｈが存在している。
【００２４】
また、可動側取付板２には突出しロッド用穴２Ａが設けてあり、この突出しロッド用穴２Ａの下方に成形機の突き出しロッド９が位置している。
【００２５】
次に、上記のように構成された金型構造での成形品の突出しを説明する。
図１に示すように樹脂充填後の型開き前の状態から可動側金型１０及び可動側取付板２が下降して金型が開いた後、図２に示すように成形機の突き出しロッド９が上昇して下側突出し板７Ｂを押し上げる。このために、スプルー突出しピン１２及び成形品突出しピン６がそれぞれの鍔部２６、２７を介して押し上げられて、スプルー突出しピン１２はスプルー１４を、成形品突出しピン６は成形品１をそれぞれに突き上げて、スプルー１４及び成形品１が突出される。
【００２６】
樹脂充填後の型開き前の状態（図１の状態）では、ゲート突出しピン８の鍔部２８の下面と下側突出し板７Ｂとの間には隙間Ｈが存在しているために、下側突出し板７Ｂが押し上げられて、すなわち、成形品１は突出されて隙間Ｈがなくなるまではゲート突出しピン８は作動せず、したがって、ゲート４は突出されていない。この突出しのタイミングのズレを利用してゲート４は切断される。
【００２７】
次に、図３に示すように下側突出し板７Ｂの押し上げにより成形品１は突出されると同時に、ゲート突出しピン８がその鍔部２８を介して押し上げられて、ゲート４で切断されているランナー５を突出す。
【００２８】
なお、ゲート４近傍以外のスプルー突出しピン１２には、上記のようなタイミングのズレをもたせておらず、成形品１と同時に突出すため、ランナー５がゲート４近傍と、それ以外の間で、図２の様に変形するが、成形作業、成形品質にはなんら影響は無い。
【００２９】
【発明の効果】
以上説明したように、本発明に係わるモールド金型構造におけるゲート切断装置によれば、固定側取付板に固定された固定側金型と、可動側取付板にスペーサーブロックを介して固定された可動側金型とを備え、前記可動側金型と前記可動側取付板の間に上、下側突出し板を移動可能に設け、前記下側突出し板の押し上げにより、スプルー突出しピン、ゲート突出しピン及び成形品突出しピンをそれぞれ押し上げて、前記スプルー突出しピンはスプルーを、前記ゲート突出しピンはランナーを、前記成形品突出しピンは成形品をそれぞれに突き出すモールド金型構造において、前記ゲート突出しピンの中間部に鍔部を設けて、この鍔部を、前記成形品突出しピンの端部の鍔部及び前記スプルー突出しピンの端部の鍔部より薄くし、前記ゲート突出しピンの前記鍔部を、前記成形品突出しピンの前記鍔部及び前記スプルー突出しピンの前記鍔部と共に、前記上、下側突出し板間に位置させ、且つ前記ゲート突出しピンの端面を前記可動側取付板の面で受けて、樹脂充填後の型開き前の状態で、前記ゲート突出しピンの前記鍔部の下面と前記下側突出し板との間に隙間を存在させ、前記ゲート突き出し作動を、前記スプルー突出しピンの突き出し作動及び前記成形品突出しピンの突き出し作動の両方より遅らせることにより、成形品は突出されて隙間Ｈがなくなるまではゲート突出しピンは作動せず、したがって、ゲートは突出されていない。この突出しのタイミングのズレを利用してゲートは切断されるのであって、スプルー突出しピンはゲート切断には直接に関係がないために、スプルー突出しピンの鍔部が二カ所必要でなくなって、鍔部を受ける受け部材が不必要になって、金型構造が簡単になり、金型費用の低減ができる。
【００３０】
また、本発明は、前記ゲート突出しピンの中間部に鍔部を設けて、この鍔部を、前記成形品突出しピンの端部の鍔部及び前記スプルー突出しピンの端部の鍔部より薄くし、前記ゲート突出しピンの前記鍔部を、前記成形品突出しピンの前記鍔部及び前記スプルー突出しピンの前記鍔部と共に、前記上、下側突出し板間に位置させ、且つ前記ゲート突出しピンの端面を前記可動側取付板の面で受けて、樹脂充填後の型開き前の状態で、前記ゲート突出しピンの前記鍔部の下面と前記下側突出し板との間に隙間を存在させた構成であることにより、樹脂充填後の型開き前の状態では、ゲート突出しピンの鍔部の下面と下側突出し板との間には隙間が存在しているために、下側突出し板が押し上げられて、すなわち、成形品は突出されて隙間がなくなるまではゲート突出しピンは作動せず、したがって、ゲートは突出されていない。この突出しのタイミングのズレを利用してゲートは切断される。
【００３１】
したがって、スプルー突出しピンはゲート切断には直接に関係がないために、スプルー突出しピンの鍔部が二カ所必要でなくなって、鍔部を受ける受け部材が不必要になって、金型構造が簡単になり、金型費用の低減ができる。
【図面の簡単な説明】
【図１】本発明に係わるゲート切断装置を備えた金型構造であって、樹脂充填後の型開き前の状態の断面図である。
【図２】同金型構造において、型開き後の成形品が突出され、ゲートが切断された状態の一部省略した断面図である。
【図３】同金型構造において、突出し工程完了状態の一部省略した断面図である。
【図４】従来のゲート切断装置を備えた金型構造であって、樹脂充填後の型開き前の状態の断面図である。
【図５】同金型構造において、型開き後の成形品が突出され、ゲートが切断された状態の一部省略した断面図である。
【符号の説明】
１  成形品
２  可動側取付板
３  型分割面
４  ゲート
５  ランナー
６  成形品突出しピン
７Ａ  上側突出し板
７Ｂ  下側突出し板
８    ゲート突出しピン
９    突出しロッド
１０  可動側金型
１１  固定側金型
１２  スプルー突出しピン
１４  スプルー
１５  固定側取付板
１６  スペーサーブロック
２６、２７、２８  鍔部
【図１】
0003589264.tif 000002
【図２】
0003589264.tif 000003
【図３】
0003589264.tif 000004
【図４】
0003589264.tif 000005
【図５】
0003589264.tif 000006